(57)【要約】      （修正有）【課題】コマ玩具の回転が落ちて左右にぶれ始めても遊戯面に接触して回転が一気に停止してしまわないように、回転が持続するようにして対戦相手よりも少しでも長く回転させることができるコマ玩具を提供する。【解決手段】遊戯盤上で回転させて遊ぶコマ玩具であって、前記遊戯盤の遊戯面に当接し前記コマ玩具が回転する際の回転中心となる水平断面円形の軸体４１と、該軸体４１の外径よりも大きい内径を有した挿通穴５１を有し、軸体４１を挿通穴５１に挿通させるとともに軸体４１を中心として軸体４１の外周を自由回転可能に装着される回転板５とを具備し、軸体４１には、回転板５が装着された際に回転板５の自由回転を許容するとともに挿通穴５１と係合して回転板５が抜けることを防ぐ係合手段４４を設けた。【選択図】図６
0003160638.tif 000002
【実用新案登録請求の範囲】
【請求項１】
遊戯盤上で回転させて遊ぶコマ玩具であって、前記遊戯盤の遊戯面に当接し前記コマ玩具が回転する際の回転中心となる水平断面円形の軸体と、該軸体外径よりも大きい内径を有した挿通穴を有し、前記軸体を該挿通穴に挿通させるとともに該軸体を中心として該軸体の外周を自由回転可能に装着される回転板と、を具備し、
前記軸体には、該回転板が装着された際に該回転板の自由回転を許容するとともに前記挿通穴と係合して該回転板が抜けることを防ぐ係合手段が設けられていることを特徴とするコマ玩具。
【請求項２】
前記挿通穴は前記回転板の中心位置に設けられ、前記回転板は該挿通穴を中心とした逆円錐台状に形成されていることを特徴とする請求項１記載のコマ玩具。
【請求項３】
前記係合手段は、前記軸体外周面上に設けられた係合突起と、前記挿通穴下端に設けられた係合縁部とからなることを特徴とする請求項１又は２記載のコマ玩具。
【考案の詳細な説明】
【技術分野】
【０００１】
本考案は、コマ玩具、詳しくは低回転になっても回転を持続させる機能を備えたコマ玩具に関するものである。
【背景技術】
【０００２】
従来、構成部材を組替えることにより、簡単に機能を変えることができるコマ玩具が本出願人より提案され、実用に供されている（例えば、特許文献１）。このコマ玩具は対戦相手のコマ玩具を攻撃する上層部材と、コマ玩具の高さを決める中層部材と、遊戯盤上でのコマ玩具の移動態様を決める下層部材とを層状に重ねて構成されたもので、逆円錐台状に形成された下層部材は下方に突出して軸体が形成され、この軸体の形状によって遊戯盤上で回転するコマ玩具の移動態様を変えることができるようにしたものである。
【先行技術文献】
【特許文献】
【０００３】
【特許文献１】実用新案登録第３１４９３８３号公報
【考案の概要】
【考案が解決しようとする課題】
【０００４】
本考案が解決しようとする問題点は、上述のコマ玩具では、下層部材の入れ替えによってコマ玩具の移動態様を変えることはできるが、コマ玩具の回転が落ちて左右にぶれ始めると上層部材が遊戯盤の遊戯面に接触してしまう為、対戦時に相手のコマ玩具よりも早く停止してしまう問題があった。
【０００５】
本考案は、上記問題点を解決し、コマ玩具の回転が落ちて左右にぶれ始めても上層部材が遊戯面に接触して回転が一気に停止してしまわないように、回転が持続するようにして対戦相手よりも少しでも長く回転させることができる新らしい発想のコマ玩具を提供することを課題とする。
【課題を解決するための手段】
【０００６】
前記課題を解決するために本考案に係るコマ玩具は、遊戯盤上で回転させて遊ぶコマ玩具であって、前記遊戯盤の遊戯面に当接し前記コマ玩具が回転する際の回転中心となる水平断面円形の軸体と、該軸体外径よりも大きい内径を有した挿通穴を有し、前記軸体を該挿通穴に挿通させるとともに該軸体を中心として該軸体の外周を自由回転可能に装着される回転板と、を具備し、前記軸体には、該回転板が装着された際に該回転板の自由回転を許容するとともに前記挿通穴と係合して該回転板が抜けることを防ぐ係合手段が設けられていることを特徴とする。
【０００７】
そして、前記挿通穴は前記回転板の中心位置に設けられ、前記回転板は該挿通穴を中心とした逆円錐台状に形成されていることが好ましい。
【０００８】
なお、前記係合手段は、前記軸体外周面上に設けられた係合突起と、前記挿通穴下端に設けられた係合縁部とから構成されていればよい。
【考案の効果】
【０００９】
本考案によれば、コマ玩具の回転速度が低下したとき、回転板が遊戯面に当接し、回転板がしばらくの間コマ玩具本体を支えることになり、コマ玩具本体が遊戯面に当接するまでの時間を稼ぐことができ、回転が低下しても直ぐに止まるようなことのない、対戦を有利に展開することができるコマ玩具を実現することができる。
【図面の簡単な説明】
【００１０】
【図１】（ａ）（ｂ）は本考案に係るコマ玩具の一例を説明する斜視図及び正面図
【図２】上記コマ玩具の分解斜視図
【図３】（ａ）〜（ｄ）は第１の攻撃部材の斜視図、平面図、正面図及び底面図
【図４】（ａ）〜（ｄ）は第２の攻撃部材の斜視図、平面図、正面図及び底面図
【図５】（ａ）（ｂ）は中層部材の平面側斜視図及び正面図
【図６】（ａ）（ｂ）は下層部材の底面側分解斜視図及び底面側斜視図
【図７】（ａ）（ｂ）は回転板の平面側斜視図及び底面側斜視図
【図８】（ａ）〜（ｃ）は下層部材の軸体と回転板の関係を説明する説明図
【図９】（ａ）〜（ｄ）はコマ玩具の組立ての過程を説明する正面図
【図１０】（ａ）（ｂ）は遊戯盤上におけるコマ玩具の作動状態の説明図及び遊戯盤上における従来のコマ玩具の作動状態の説明図
【考案を実施するための形態】
【００１１】
図１（ａ）（ｂ）は、本考案に係るコマ玩具の一例を示し、このコマ玩具Ａは第１の攻撃部材１０と、第２の攻撃部材２０とから構成され、対戦相手のコマ玩具を攻撃する機能を備えた上層部材１と、コマ玩具の高さを決める中層部材２と、遊戯盤に当接する軸体を備えた下層部材３と、上記上層部材１と中層部材２とを連結するネジ状の連結部材４とで層状に構成されている（図２参照）
【００１２】
第１の攻撃部材１０は、図３（ａ）〜（ｄ）に示すように、合成樹脂で中央に後述する第２の攻撃部材２０の嵌合部２２に嵌合する嵌合穴部１１が形成された円盤状の部材で、嵌合穴部１１の直径方向には上記嵌合部２２に嵌め合わせる際にブリッジ２２ａに係合し、位置決めとなる係合凹部１１ａが形成されている。そして、第１の攻撃部材の外径は第２の攻撃部材２０よりも小さく形成され、上面の周縁には対戦相手のコマ玩具の下面に接触して下から攻撃する縦方向の攻撃機能を備え、上方に突出した凸凹部で構成された攻撃部１２が形成され、底面には嵌合穴部１１の外側に第２の攻撃部材２０の内周面に当接し、第２の攻撃部材２０に安定して保持されるための半円弧状の係合壁１４が対称に形成されている。
【００１３】
第２の攻撃部材２０は、図４（ａ）〜（ｄ）に示すように、金属で中央に後述する中層部材２の上部を嵌め込む６角形状の嵌合穴部２１が形成された円盤状の部材で、嵌合穴部２１の上方には嵌合部２２が形成されている。この嵌合部２２は直径方向に形成されたブリッジ２２ａとブリッジ２２ａの中央に円形状に膨出して形成された膨出部２２ｂとで構成され、この膨出部２２ｂの中央には連結部材４のネジ部４ａを差し込む開口部２４が形成されている。さらに、外周面には外方に張り出して対戦相手のコマ玩具の側面に接触して横方向の攻撃機能を備え、外方に突出した凹凸部で構成された攻撃部２５が形成されている。
【００１４】
中層部材２は、図５（ａ）（ｂ）に示すように筒状に形成され、内壁面には後述する連結部材４のネジ４ａを螺合させるネジ山３１が形成されネジ孔３２を構成している。そして、上部外周面は外方に略６角形状に膨出し、この膨出部３３を上述の第２の攻撃部材２０の嵌合穴部２１に嵌め合わせることにより連結時に周方向のズレが発生しないようにしている。
【００１５】
そして、この筒部３４の下端外側面には、後述する下層部材３に形成された係合受部４３に係合する一対の係合突部３６が形成されている。
【００１６】
下層部材３は、図６（ａ）に示すように、逆円錐台状に形成され、下方にはコマ玩具が回転する際の回転中心となる水平断面円形の軸体４１が形成され、この軸体４１には回転板５が自由回転できるように装着されている（図６（ｂ）参照）。
【００１７】
下層部材３の軸体４１の外側には、軸体４１を中心に対称に一対の円弧状の開口部４２が形成され、この開口部４２の内壁の一部は軸体４１側に膨出して係合受部４３が形成され、中層部材２の下から下層部材３を嵌め込んだ後、周方向に回動させると、この係合受部４３に上記中層部材２の係合突部３６が係合して中層部材２に下層部材３を固定できるようになっている。
【００１８】
そして、上記軸体４１の先端には係合手段の一方である一対の係合突起４４が直径方向に突出して形成されている。この係合突起４４は回転板５の中央に形成された円形の挿通穴５１に軸体４１を挿通させたとき、後述する係合手段の他方である回転板５の係合縁部５３に係合して回転板５が軸体５１から抜脱しないようにするためのものである。
【００１９】
回転板５は、図７（ａ）に示すように、周囲が中央よりも上方になるように傾斜して略逆円錐台状に形成され、中央には下層部材３の軸体４１よりもやや大きな円形の挿通穴５１が形成され、挿通穴５１の周縁は上方に膨出して円筒状に壁体５２が形成されている。この壁体５２には、下層部材３の軸体４１を挿通穴５１に挿通する際に壁体５２が外側に撓んで挿通しやすいようにするための切欠き部５４が２箇所形成されている。
【００２０】
上記挿通穴５１は、図７（ｂ）に示すように、底面側の径が大きく形成され、軸体４１の係合突起４４が係合して、一旦装着した回転板５が軸体４１から抜けないようにするための係合手段の他方を構成する係合縁部５３が形成されている。
【００２１】
なお、図８（ａ）に示すように、壁体５２の内径Ｗ１は軸体４１の直径Ｗ２よりもやや大きく、壁体５２の高さＬ１は軸体４１の長さＬ２よりも低く形成され、図８（ｂ）に示すように、軸体４１に装着した回転板５は係合突起４４に係合縁部５３が係合して軸体４１に対して自由回転できるとともに、軸体４１に対して回転板５が傾倒できるようになっており、傾倒時には、図８（ｃ）に示すように、回転板５と軸体４１とは面接触ではなく点接触するようにし、回転板５と軸体４１間の摩擦抵抗が最小になるようにしてある。
【００２２】
上記構成のコマ玩具を組み立てる場合は、先ず上層部材１を構成する第１の攻撃部材１０、第２の攻撃部材２０、中層部材２、下層部材３を選択し（図９（ａ）参照）、第１の攻撃部材１０を第２の攻撃部材２０の上面から嵌め合わせ、第２の攻撃部材２０の下面から中層部材２を嵌め合わせる（図９（ｂ）参照）。
【００２３】
次に、連結部材４のネジ４ａを第２の攻撃部材２０の開口部２４から差し込み、中層部材２に捻じ込み、第１の攻撃部材１０と第２の攻撃部材２０とを重合した状態で上層部材１を中層部材２に固定する（図９（ｃ）参照）。この状態では連結部材４で第１の攻撃部材１０が第２の攻撃部材２０に圧接され、第２の攻撃部材２０が中層部材２に圧接されるので、上層部材１と中層部材２とがガタツキガなく固定されている。
【００２４】
次に、下層部材３の開口部４２を中層部材２の筒部３４に形成された係合突部３６に対応させて差し込み、周方向に回して係合突部３６を膨出部４３の下側に係合させることにより、図９（ｄ）に示すような、上層部材１、中層部材２、下層部材３とからなるコマ玩具Ａを組み上げることができる。
【００２５】
組み上げたコマ玩具Ａを、図示しないスターターで高速回転を付与して遊戯盤Ｂ上の遊戯面ｂに発射すると（図１０（ａ）参照）、高速で回転しているコマ玩具Ａはジャイロ効果で軸体４１を中心にして垂直に立った状態で自転しながら遊戯面ｂ上を移動（公転）し、遊戯盤上の図示しない対戦相手のコマ玩具と対戦することになるが、回転速度が低下してきたコマ玩具Ａは垂直に立った状態が維持できずに左右にぶれながら回転するようになる。
【００２６】
一方、図示しないスターターで高速回転を付与して遊戯盤Ｂ上の遊戯面ｂに発射された従来のコマ玩具Ａ´は、高速で回転しているときは、図１０（ｂ）に示すように、垂直に立った状態で自転しながら遊戯面ｂ上を移動するが、回転速度が低下したコマ玩具Ａ´は、本願のコマ玩具Ａと同様に垂直に立った状態が維持できずに左右にぶれながら回転するようになる。左右にぶれ始めると、コマ玩具Ａ´は外径が最も大きい上層部材１´が遊戯面ｂに接触する状態になり、一気に回転が低下して回転が停止してしまう。
【００２７】
それに対して本願のコマ玩具Ａは、図１０（ａ）に示すように、回転板５が遊戯面ｂに当接した状態になるので、コマ玩具Ａの軸体４１は回転板５の壁体５２に支えられて、傾倒が制限されるので、外径が最も大きい上層部材１は遊戯面ｂに接触することがなく、コマ玩具Ａは回転を継続することができる。しかし、コマ玩具Ａの回転がさらに低下すると回転板５はコマ玩具Ａを支えることはできなくなり、最終的には上層部材１は遊戯面ｂに接触して回転が停止することになる。
【００２８】
上述したように、コマ玩具Ａを遊戯台Ｂの遊戯面ｂの斜面に高速で回転を付与して発射すると、回転が高速状態ではコマ玩具Ａは垂直状態を維持しているが、回転が低下してくると左右にぶれ始めるが、この時、回転板５が上層部材１よりも先に遊戯面ｂに当接し、回転板５がコマ玩具５を支える状態が発生して、上層部材１が遊戯面ｂに当接する状態を先延ばしすることができるので、対戦相手のコマ玩具よりも回転を持続することができる。
【００２９】
しかも、回転板５がコマ玩具Ａを支えている状態は、回転板５の壁体５２とコマ玩具Ａの軸体４１とが面ではなく点で接触しているので、摩擦抵抗は最小限に抑えられる。しかも、コマ玩具Ａの軸体４１に逆円錐台状の回転板５を取り付けるだけのシンプルな構造でありながら、コマ玩具Ａの回転時間の延長を図ることができる新しい発想のコマ玩具を実現することができる。
【符号の説明】
【００３０】
１    上層部材
２    中層部材
３    下層部材
４    連結部材
５    回転板
１０    第１の上層部材
２０    第２の上層部材
４１    軸体
５１    挿通穴
５２    壁体
Ａ    コマ玩具
Ｂ    遊戯盤
ｂ    遊戯面
【図１】
0003160638.tif 000003
【図２】
0003160638.tif 000004
【図３】
0003160638.tif 000005
【図４】
0003160638.tif 000006
【図５】
0003160638.tif 000007
【図６】
0003160638.tif 000008
【図７】
0003160638.tif 000009
【図８】
0003160638.tif 000010
【図９】
0003160638.tif 000011
【図１０】
0003160638.tif 000012